(57)【要約】【目的】マナーモードが設定されてある着信者に対して電話を掛ける発信者が通話する代わりにチャット機能、メール機能等をスムーズに使いこなすことができるとともに、着信者側のマナーの向上を図ることができる携帯電話を提供すること。【構成】無線通信網を介して無線通信を行う携帯電話において、マナーモードを設定する手段と、前記マナーモードの設定情報を基地局に発信する手段と、通信相手の携帯電話がマナーモードに設定されている場合に前記通信相手の前記マナーモード設定情報を基地局から受信する手段と、前記マナーモード設定情報を受信した場合に通話モードを変更する手段と、通信相手の名前、電話番号、電子メールアドレスを記憶する記憶手段と、前記電話番号から前記電子メールアドレスを検索する検索手段とを有する。【選択図】      図３
2004247862.tif 000002
【特許請求の範囲】
【請求項１】
無線通信網を介して無線通信を行う携帯電話において、
マナーモードを設定する手段と、前記マナーモードの設定情報を基地局に発信する手段と、通信相手の携帯電話がマナーモードに設定されている場合に前記通信相手の前記マナーモード設定情報を基地局から受信する手段と、前記マナーモード設定情報を受信した場合に通話モードを変更する手段と、通信相手の名前、電話番号、電子メールアドレスを記憶する記憶手段と、前記電話番号から前記電子メールアドレスを検索する検索手段とを持つことを特徴とする携帯電話。
【請求項２】
前記マナーモードとは、無線通信における着信側の着信音を鳴らさないことと、更には、着信者に音声による通話を行わせないようにしたモードであることを特徴とする請求項１記載の携帯電話。
【請求項３】
前記通話モードとは、音声通話と文字ベースによるリアルタイム通話と文字ベースによる電子メールによる通話であることを特徴とする請求項１記載の携帯電話。
【請求項４】
前記記憶手段とは、名前と電話番号と電子メールアドレスとを関連付けて記憶するアドレス帳であることを特徴とする請求項１記載の携帯電話。
【請求項５】
前記検索手段とは、音声通話開始時に発信した通話相手の電話番号と前記アドレス帳に記憶されている電話番号とを照合し、照合された結果、一致した場合に、前記アドレス帳に記憶されている前記電話番号に関連付けされた前記電子メールアドレスを読み出し、前記電子メールアドレスを電子メールの通信相手として電子メールを発信することを特徴とする請求項１記載の携帯電話。
【請求項６】
請求項１記載の携帯電話と、前記携帯電話との間で無線通信を行う基地局と、前記基地局との間で通信を行う移動通信用交換機と、前記移動通信用交換機に接続された記憶装置と、前記移動通信用交換機との間で通信を行う前記リアルタイム通話用サーバと、前記移動通信用交換機との間で通信を行う前記電子メール用サーバとから成ることを特徴とする携帯電話システム。
【請求項７】
前記移動通信用交換機とは、前記携帯電話の前記マナーモード設定情報を前記記憶装置に読み書きし、前記マナーモード設定情報を前記基地局との間で通信することを特徴とする請求項６記載の携帯電話システム。
【発明の詳細な説明】
【０００１】
【発明の属する技術分野】
本発明は、音声、文字、電子メールで通信を行う携帯電話とそのシステムに関する。
【０００２】
【従来の技術】
携帯電話やＰＨＳ等の携帯型電話端末は、電車の中や公共の人が集まる場所で使用する際、周囲の人々に迷惑にならないように、着信音を鳴らさない代わりに着信を振動で伝えるバイブレータモードを備える等、マナーモードと言われる機能を有する。又、着信者側で予め着信できない設定をしておくと、無線通信網のシステム側では、着信者に電話を接続せず、発信者側に対して、着信者は只今電話にでることができません等のテープガイダンスを流し、メッセージを録音するモードに切り替わり、用件を録音させることにより通話の代わりとする等の方法がある。
【０００３】
【発明が解決しようとする課題】
しかしながら、上記従来の通信システムでは、携帯型電話端末のユーザは、マナーモードにしているにも拘らず、着信があると、その電話に応答してしまうケースが多いため、着信音では、周囲の人に迷惑を掛けないが、通話することによって迷惑を掛けることが多々ある。又、着信者が電話にでることができない設定にしておくと、用件は録音されるが、リアルタイムに応答できないといった欠点があった。
【０００４】
本発明は上記問題に鑑みてなされたもので、その目的とする処は、マナーモードが設定されてある着信者に対して電話を掛ける発信者が通話する代わりにチャット機能、メール機能等をスムーズに使いこなすことができるとともに、着信者側のマナーの向上を図ることができる携帯電話及び携帯電話システムを提供することにある。
【０００５】
【課題を解決するための手段】
上記目的を達成するため、本発明は、着信者側でマナーモードを設定してある場合、発信者がチャットモードや電子メールモードにスムーズに切り替われるように、発信者側の携帯電話のインターフェースを切り換えることを特徴とする。
【０００６】
【発明の実施の形態】
以下に本発明の実施の形態を添付図面を参照して詳細に説明する。
【０００７】
図１は本発明に係る携帯電話システムの概略図であり、同図において、１は発信者側の携帯電話端末、２は携帯電話端末１が現在所属する通信エリアにある無線携帯電話網の基地局である。３は基地局２が接続されている移動通信用交換機４の移動通信用交換機３に接続された記憶装置である。従来、この記憶装置は、携帯電話端末の現在位置を登録するために用いられる。
【０００８】
５は移動体通信網を仮想的に表したものであり、多数の移動体通信用交換機や基地局及びそれらを結ぶ回線網から構成されている。６は電子メール用のサーバ、７はチャット（無線通信網を通じてリアルタイムに文字ベースで会話を行うことを指す）用のサーバである。８は移動通信用交換機３と同等の機能を有する移動通信用交換機、９は移動通信用交換機８に接続された記憶装置であり、記憶装置４と同様に用いられる。１０は移動通信用交換機８に接続された基地局の１つ、１１は着信者側の携帯電話端末であり、現在、基地局１０の通信エリア内にある。
【０００９】
先ず、本発明の携帯電話システムを実施するために必要な着信側の携帯電話端末のマナーモード設定方法について説明する。
【００１０】
図２は携帯電話端末の概観図である。２１はアンテナ、２２は表示画面、２３はスピーカ、２４は携帯電話端末のユーザが入力をするための入力ボタン群、２５はマイクである。
【００１１】
図３は図２で表した携帯電話端末のブロック図である。３１はアンテナ、３２はＲＦ（Ｒａｄｉｏ  Ｆｒｅｑｕｅｎｃｙ  ）部、３３はデータ復調部、３４はデータ変調部、３５は音声／データ処理部、３６はスピーカ、３７はマイク、３８はリンガ部、３９はバイブレータ部、４０は内部バス、４１はＣＰＵ（Ｃｅｎｔｒａｌ  Ｐｒｏｃｅｓｓｉｎｇ  Ｕｎｉｔ  ）、４２はＲＯＭ（Ｒｅａｄ  Ｏｎｌｙ  Ｍｅｍｏｒｙ）、４３はＲＡＭ（Ｒａｎｄｏｍ  Ａｃｃｅｓｓ  Ｍｅｍｏｒｙ）、４４は入力用コントローラ、４５は入力部、４６はディスプレイコントローラ、４７はディスプレイである。
【００１２】
図１の携帯電話端末１１のユーザがマナーモードを設定する際、先ず、図４で示した入力ボタン群４４のうちのマナーモードボタンを押すことにより（通常は、誤操作による入力を避ける意味で、数秒間押し下す）設定が開始される。
【００１３】
図３のブロック図で説明すると、入力部４５にて押されたマナーモードボタンの入力信号は、入力用コントローラ４４、内部バス４０を介してＲＡＭ４３内の不揮発性メモリ領域にマナーモード設定フラグとしてセットされる。ＣＰＵ４１は、定期的にＲＡＭ４３の前記マナーモード設定フラグの状態を読み、その内容を自身（ＣＰＵ）内にあるＲＡＭに記憶する。
【００１４】
ＣＰＵ４１は、この記憶したデータからマナーモードに設定されているかどうかを判別し、携帯電話端末１１がマナーモードに設定されたことを確認すると、移動通信用交換機８に接続された記憶装置９に対してその設定を記憶させるために、内部バス４０、音声／データ処理部３５、変調部３４、ＲＦ部３２を介してアンテナ３１から基地局１０に対してマナーモード設定フラグ情報を発信する。発信されたデータは、図１の基地局１０で受信され、基地局１０から移動通信用交換機８に送信される。
【００１５】
移動通信用交換機８は、前記データを受け取ると、前記データを記憶装置９に書き込む。先述したように、移動通信用交換機３，８にそれぞれ接続された記憶装置４，９は、従来、携帯電話端末の現在位置を登録するためのメモリであるが、本実施の形態では、この記憶装置を位置登録用メモリの役割の他に、各携帯電話端末がマナーモード設定にセットされてあるか否かを登録するためのメモリとしても兼用する。
【００１６】
次に、携帯電話端末１のユーザが携帯電話端末１１のユーザに電話を掛けるときについて図４を用いて説明する。
【００１７】
図４は携帯電話端末１から携帯電話端末１１へ電話を掛ける際の携帯電話システム全体の動作シーケンスを表したものである。
【００１８】
携帯電話端末１のユーザが図２に示す入力ボタン群２４を押して携帯電話端末１１の電話番号を入力し、通話を開始すると、Ｓ４１にて、携帯電話端末１から基地局２に無線接続される。Ｓ４２にて、基地局２は移動通信用交換機３に接続される。ここで、移動通信用交換機３は、受信した電話番号を元に、その電話番号に該当する携帯電話端末が登録されている移動通信用交換機８を割り出し、Ｓ４３にて、移動体通信網５を介して移動通信用交換機８に接続する。
【００１９】
移動通信用交換機８は、移動通信用交換機３から受信した電話番号に該当する携帯電話端末の現在位置を把握するために、記憶装置９からその携帯電話端末が現在属する基地局を読み出すと共に、その携帯電話端末１１がマナーモードに設定されているか否かを読み出す。尚、この記憶装置に記憶されている携帯電話端末の位置登録情報は、各々の携帯電話端末が現在自分が所属する通信エリアにある基地局からの基地局ＩＤを受信し、その基地局ＩＤを自分が所属する移動通信用交換機に送信することにより逐次記録更新が成される。
【００２０】
携帯電話端末のマナーモード設定情報は、先に記したように、その携帯電話端末のユーザが携帯電話端末のマナーモードボタンを押すことにより、自動的に前記携帯電話端末が所属する移動通信用交換機に現在位置する通信エリアにある基地局経由で送信され、前記移動通信用交換機に接続されている記憶装置に記憶される。マナーモードを解除する場合は、再度、マナーモードボタンを押すことにより解除され、その結果も自動的に前記移動通信用交換機に接続された記憶装置に反映される。
【００２１】
図４のＳ４３の後、携帯電話端末１１がマナーモードに設定されていなければ、移動通信用交換機８は、記憶装置９から読み出した情報を元に携帯電話端末１１の現在所属する基地局１０に接続し、基地局１０が携帯電話端末１１の電話番号を発信することにより、携帯電話端末１１に接続される。携帯電話端末１１がマナーモードに設定されている場合、Ｓ４４にて、移動通信用交換機８は、移動通信用交換機３に、Ｓ４５にて、移動通信用交換機３は、基地局２に、Ｓ４６にて、基地局２は、携帯電話端末１にそれぞれ携帯電話端末１１がマナーモード設定されていることを音声データとして送信する。
【００２２】
携帯電話端末１のユーザは、移動通信用交換機８より、「お客様のお掛けになった電話は、現在、マナーモードに設定されております。画面表示を見て、希望の接続をお選び下さい」という音声メッセージを受信する。その音声メッセージ後に携帯電話端末１の表示画面に表示されたものが図５の画面である。
【００２３】
Ｓ４６の後、携帯電話端末１のユーザがこの画面を見て「通話」を選択した場合、移動通信用交換機８に接続された記憶装置９内のマナーモードの設定情報に拘らず、携帯電話端末１１に通話接続する。つまり、再度、基地局２、移動通信用交換機３、移動体通信網５、移動通信用交換機８、基地局１０を経由して携帯電話端末１１に接続する。
【００２４】
Ｓ４６の後、ユーザが「電話を切る」を選択すれば、通話は終了する。Ｓ４６の後、ユーザが「チャット」を選択した場合、Ｓ４７，Ｓ４８，Ｓ４９の経路でチャットサーバ７に接続され、チャットサーバ７は、Ｓ５０，Ｓ５１，Ｓ５２の経路で携帯電話端末１１にチャット接続を要求しにいく。携帯電話端末１１のユーザがこの要求に応えることにより文字によるリアルタイム通話が始まる。
【００２５】
携帯電話端末１１のユーザがチャット要求を拒否した場合、又は応答しない場合（タイムアウトによりチャット要求が受け入れられない場合）は、携帯電話端末１に、先程の逆の経路（Ｓ５２，Ｓ５１，Ｓ５０，Ｓ４９，Ｓ４８，Ｓ４７）でその旨が報知され、通話が切断される。又、Ｓ４６の後、ユーザが「メール」を選択し、メール本文を書くと、Ｓ４７，Ｓ４８，Ｓ４９の経路でメールサーバ６に接続され、メールサーバ６は、Ｓ５０，Ｓ５１，ＳＳ５２の経路で携帯電話端末１１にメールを送信する。
【００２６】
最後に、図４は携帯電話システムの動作シーケンスで述べた中から携帯電話端末１の動作を中心にして、携帯電話端末１の動作及びシステム全体の動作を説明する。
【００２７】
図６は携帯電話端末１の動作を説明するためのフローチャートである。Ｓ６０１で、携帯電話端末１のユーザが携帯電話端末１１の電話番号を入力して電話を掛ける。先に説明したように、携帯電話端末１１がマナーモードに設定されている場合、携帯電話端末１１が所属する移動通信用交換機８が携帯電話端末１に対してその旨を通達する。Ｓ６０２で、その通達が来た場合、Ｓ６０３に進む。
【００２８】
携帯電話端末１１がマナーモードに設定されていない場合、携帯電話端末１に対してその旨は通達されず、移動通信用交換機８は、携帯電話端末１１に接続にいく。Ｓ６０６では、携帯電話端末１１が通信圏外（基地局からの呼び出しに対して応答しないこと、以下、単に圏外とする）の場合や電話の電源がＯＦＦの場合や通話中の場合にＳ６０９に進み、それ以外の場合、Ｓ６０７に進み、携帯電話端末１の携帯電話端末１１との間で回線が接続され、通話可能状態となる。
【００２９】
尚、ここで、携帯電話端末１１への着信通知手段として、図３に示すリンガ部３８を鳴らす代わりにバイブレータ部３９を振動させる。この通話状態にあるとき、携帯電話端末１のユーザが入力ボタン「切」（図３に図示した入力ボタン群の中の１つ）を押して通話を切断した場合や携帯電話端末１が圏外になった場合や携帯電話端末１の電源がなくなった場合はＳ６０８のＹｅｓとなり、回線は切断されて本フローチャートを終了する。
【００３０】
上記条件が起こらない場合、フローチャートはループ状態となり、回線は接続状態となる。但し、携帯電話端末１のユーザがＳ６０８にて回線を切断しない場合でも携帯電話端末１１のユーザが携帯電話端末１１の入力ボタン「切」（図３に図示した入力ボタン群の中の１つ）を押して回線を切断した場合や携帯電話端末１１が圏外になる場合や携帯電話端末１１の電源がなくなった場合、回線は切断される。Ｓ６０６でＮｏの場合、Ｓ６０９では、移動通信用交換機８が携帯電話端末１に対してメッセージ又は発信音を送信する。
【００３１】
ここで、携帯電話端末１１の状態に応じて移動通信用交換機８から携帯電話端末１に対して送信するメッセージは異なる。移動通信用交換機８が現在携帯電話端末１１が所属する筈である通信エリアにある基地局１０から携帯電話端末１１を呼び出したとき、その呼び出しに対して応答しない場合、移動通信用交換機８は、携帯電話端末１１が圏外又は電源ＯＦＦであると見なし、携帯電話端末１に対して、「お客様のお掛けになった電話は、電源がＯＦＦになっているか通信できない場所におられます。」等のメッセージを送信する。
【００３２】
携帯電話端末１１が通話中の場合、通話中を意味する発信音を送信する。メッセージ又は発信音が送信されている間、携帯電話端末１のユーザが回線を切断しなければその間中メッセージ又は発信音が携帯電話端末１に対して送信され続ける。携帯電話端末１のユーザがＳ６１０で切断ボタンを押せば、回線は切断され本フローチャートを終了する。
【００３３】
Ｓ６０２において、移動通信用交換機８から携帯電話端末１１がマナーモードに設定されている、という通知は、先にも説明したように、音声メッセージで、「お客様のお掛けになった電話は、現在、マナーモードに設定されております。画面表示を見て、希望の接続をお選び下さい。」等で送信される。このとき、移動通信用交換機８は、携帯電話端末１に対して、音声メッセージに付加して制御用信号を送信する。
【００３４】
携帯電話端末１は、前記制御用信号を受信すると、Ｓ６０３にて現在確立している移動通信用交換機８との間の回線を切断しＳ６０４に進む。Ｓ６０４では、携帯電話端末１の表示画面は、図５で示した画面になる。携帯電話端末１１がマナーモードであった場合、携帯電話端末１の上述した一連の動作を図３のブロック図を用いて説明すると、マナーモードを報知する音声メッセージと制御用信号は、アンテナ３１、ＲＦ部３２、復調部３３を介して音声／データ処理部に送られる。
【００３５】
音声メッセージは、音声／データ処理部からスピーカ３６に送られる。これにより携帯電話端末１のユーザは、携帯電話端末１１がマナーモードで電話に出られない旨を知り、携帯電話端末１の表示画面を見る。音声メッセージと同時に受信した制御用信号は、音声／データ処理部からＲＡＭ４３内の揮発性メモリにあるワークエリアに書き込まれる。ＣＰＵ４１は、前記ワークエリア内データを自身（ＣＰＵ４１）内にあるＲＡＭ上に読み出し、データを判断する。
【００３６】
ＣＰＵ４１が携帯電話端末１１がマナーモード設定になっていると判断すると、ＲＯＭ４２に予め書き込まれてある文字データを読み出し、前記文字データを、内部バス４０を介してディスプレイコントローラ４６に送る。ディスプレイコントローラ４６は、ＣＰＵ４１から受けた文字データをディスプレイ４７に表示させる。この表示された文字データが図５に示す画面となる。Ｓ６０４にて表示画面に図５に示す画面を表示した後、Ｓ６０５では、携帯電話端末１のユーザによってモードを選択してもらう状態となる。
【００３７】
尚、図５に記載されてあるＡ，Ｂ，Ｃ，Ｄは、フローチャートの説明のため、便宜上、記載してあるだけで、実際の携帯電話端末１の表示画面には表示されないものとする。ここで、携帯電話端末１のユーザがＡ，Ｂ，Ｃ，Ｄを選択する方法は、Ａは図３の入力ボタン群２４に図示した中の「通」ボタン、Ｂは同様に「チャット」ボタン、Ｃは同様に「メール」ボタン、Ｄは同様に「切」ボタンをそれぞれ押すことにより選択される。
【００３８】
携帯電話端末１のユーザがＡを選択した場合、Ｓ６１１に進む。Ｓ６１１では、携帯電話端末１は、改めて携帯電話端末１１に対して電話回線を接続しにいく。このとき、携帯電話端末１１の電話番号を単にリダイヤルするだけでは、携帯電話端末１１がマナーモードの間は、移動通信用交換機８との間で無限ループになってしまう可能性があるので、携帯電話端末１は、携帯電話端末１１の電話番号に加えて制御用信号を送信する。
【００３９】
前記制御用信号は、図３のブロック図を元に説明すると、ＣＰＵ４１は、ＲＡＭ４３内の不揮発性メモリ領域にあるダイヤル記憶エリアから一番新しい電話番号を読み出し、又、ＲＯＭ４２から相手先携帯電話端末に強制的に接続に行くために用いる制御用信号を読み出し、ＣＰＵ４１内にあるＲＡＭ領域に書き込む。ＣＰＵ４１は、前記電話番号及び前記制御用信号を、内部バス４０、音声／データ処理部３５、変調部３４、ＲＦ部３２を介してアンテナ３１から基地局２に向けて発信する。
【００４０】
移動通信用交換機８は、前記電話番号及び前記制御用信号を基地局２、移動通信用交換機３、移動体通信網５経由で受信する。移動通信用交換機８は、電話番号の他に制御用信号を受け取ったため、記憶装置９に記憶されている前記電話番号に該当する携帯電話端末のモード状態（マナーモードであるか否か）は読み出さず、電話番号に該当する携帯電話端末の位置登録情報のみを記憶装置９から読み出し、その情報から基地局１０に接続にいき、前記電話番号に該当する携帯電話端末１１を呼び出す。
【００４１】
Ｓ６１１の後は、Ｓ６０６に進むが、Ｓ６０６以降の説明は先に説明したので、ここでは割愛する。Ｓ６０５にて、携帯電話端末１のユーザがＡを選択した場合、Ｓ６１２に進む。Ｓ６１２では、携帯電話端末１は、基地局２、移動通信用交換機３、移動体通信網５経由でチャットサーバ７に接続に行く。この動作を図３のブロック図を用いて説明すると、ＣＰＵ４１は、ＲＡＭ４３内の不揮発性メモリ領域にあるダイヤル記憶エリアから一番新しい電話番号を読み出し、又、ＲＯＭ４２からチャットサーバ７のアドレス情報を読み出しＣＰＵ４１内にあるＲＡＭ領域に書き込む。
【００４２】
ＣＰＵ４１は、前記電話番号及び前記チャットサーバのアドレス情報を内部バス４０、音声／データ処理部３５、変調部３４、ＲＦ部３２を介してアンテナ３１から基地局２に向けて発信する。基地局２から前記電話番号及び前記チャットサーバのアドレス情報を受信した移動通信用交換機３は、移動体通信網５経由でチャットサーバ７に接続しに行く。Ｓ６１３にて、チャットサーバ７は、受信した電話番号を元に割り出した移動通信用交換機８に接続するために、移動体通信網５経由で移動通信用交換機８に接続に行き、移動通信用交換機８は、記憶装置９に記憶されてある電話番号に該当する携帯電話端末１１の位置登録情報を読み出して、基地局１０経由で携帯電話端末１１にチャット接続をしに行く。このとき、携帯電話端末１１のユーザがこのチャット接続要求を受け入れれば、Ｓ６１４に進み、携帯電話端末１と携帯電話端末１１との間で回線接続が行われ、文字ベースのリアルタイム通話であるチャットが行われる。
【００４３】
尚、ここで、携帯電話端末１１への着信通知手段として、図３に示すリンガ部３８を鳴らす代わりにバイブレータ部３９を振動させる。
【００４４】
チャット時にＳ６１５にて、携帯電話端末１のユーザ又は携帯電話端末１１のユーザが通話切断ボタンを押すとチャットを終了して本フローチャートを終了する。先のチャット接続要求に対して携帯電話端末１１のユーザが拒否した場合や或る一定時間以内に応答しない場合、移動通信用交換機８は、チャットサーバ７に対して接続できなかった旨を伝え、Ｓ６１６にて、携帯電話端末１は、チャットサーバ７から移動体通信網５、移動通信交換機３、基地局２を経由して「接続できませんでした。」等の文字データを受信しＳ６１７に進む。Ｓ６１７では、携帯電話端末１は、そのユーザに対して、「電子メールで接続しにいきますか」という文字データを表示画面に表示する。
【００４５】
ここで、前記ユーザが、電子メールでの接続を望まなければ、本フローチャートを終了する。逆に、前記ユーザが電子メールでの接続を望めばＳ６１８に進む。Ｓ６０５で、携帯電話端末１のユーザがＣを選択した場合もＳ６１８に進む。Ｓ６１８では、携帯電話端末１は、Ｓ６０１で掛けた電話番号に該当する携帯電話端末のユーザが持つ電子メールアドレスが携帯電話端末内にあるアドレス帳に登録されているか否かを参照しに行く。その結果、アドレス帳に前記ユーザの電子メールアドレスが存在した場合、Ｓ６１９からＳ６２０に進む。Ｓ６２０では、携帯電話端末１の表示画面には、「電子メール文を作成して下さい。」という文字データを表示すると共に、電子メール文の入力モード画面（カーソルが点滅して、メール文を書く状態になっている。）となる。
【００４６】
携帯電話端末１のユーザがメール文を書き終え、図２で示す入力ボタン群２４を使用して電子メールを送信すると、Ｓ６２１では、携帯電話端末１は、基地局２に対して作成された電子メール文と相手先電子メールアドレスやその他電子メール文に付随するデータ（電子メールのヘッダに書かれるデータ等）を送信し、前記電子メール文や前記電子メールアドレスや前記その他データは、基地局２から移動通信用交換機３、移動体通信網５を経由してメールサーバ６に送信される。
【００４７】
メールサーバ６は、受信した電子メールアドレスからその電子メールアドレスが所属する移動通信用交換機８を割り出す。移動通信用交換機８は、記憶装置９から前記電子メールアドレスを持つ携帯電話端末１１の位置登録情報を読み出し、その情報から携帯電話端末１１が所属する基地局１０を割り出す。
【００４８】
移動通信用交換機８は、基地局１０経由で前記電子メールアドレス、前記電子メール文、前記その他のデータを携帯電話端末１１に送信する。Ｓ６２１で電子メールサーバに接続して、前記電子メールアドレス、前記電子メール文、前記その他データを送信した後、携帯電話端末１は、Ｓ６２２で回線を切断して本フローチャートを終了する。
【００４９】
Ｓ６０５にて携帯電話端末１のユーザがＣを選択した後のＳ６１８から先の動作を図３のブロック図を用いて説明すると、ＣＰＵ４１は、ＲＡＭ４３内の不揮発性メモリ領域にあるダイヤル記憶エリアから一番新しい電話番号を読み出し、又、同じくＲＡＭ４３内の不揮発性メモリ領域にある名前、電話番号、電子メールアドレスの関連付けがなされてある個人アドレス帳を読み出し、自身（ＣＰＵ４１）内にあるＲＡＭ上に展開する。
【００５０】
ＣＰＵ４１は、前記電話番号と前記個人アドレス帳とを照合し、前記個人アドレス帳に前記電話番号があり、且つ、前記電話番号に関連付けられた前記電子メールアドレスがある場合、ＲＯＭ４２から「電子メール文を作成して下さい。」という文字データを読み出し、そのデータを内部バス４０、ディスプレイコントローラ４６を介してディスプレイ４７に表示し、携帯電話端末１のユーザに電子メール文を入力させるよう、入力モード画面にする。
【００５１】
前記ユーザが入力部４５を操作して電子メール本文を記入後、前記電子メールの送信動作を行う。記入された電子メール本文は、ＲＡＭ４３内の揮発性メモリにあるワークエリアに書き込まれる。送信動作とは、２４に図示された「通」ボタンと「切」ボタンの間にある十字カーソルキー（左、右、上、下方向に押すことによりディスプレイ４７上に表示されたカーソルをそれぞれの方向に移動させる機能と、真ん中を押すことにより、カーソルで選択された表示内容を決定させる機能を有する。）を用いて“電子メールを送信する”を選択・決定させることである。
【００５２】
前記ユーザが送信動作を行った場合、ＣＰＵ４１は、ＲＡＭ４３から先に作成された電子メール文とその電子メールに付随する電子データ（この中のデータの一部、例えば、携帯電話端末自身の電子メールアドレス等は、ＲＯＭ４２から読み出す。）及び相手先電子メールアドレスを内部バス４０、音声／データ処理部、変調部３４、ＲＦ部３２を介してアンテナ３１から発信し、回線を切断する。Ｓ６１９にてＮｏの場合、Ｓ６２３に進み、携帯電話端末１のユーザに、電子メールを送信する相手の電子メールアドレスを記入してもらうよう、表示画面を電子メールアドレス入力用モードに切り替える。
【００５３】
Ｓ６２４では、送り先電子メールアドレスが記入されればＳ６２０に進み、入力されなければ本フローチャートを終了する。Ｓ６０５にて携帯電話端末１のユーザがＤを選択した場合、元々回線は切断されているので、回線を切断したように見せかけて、図３のディスプレイ４７の表示を待ち受け画面にして本フローチャートを終了する。
【００５４】
以上、図６のフローチャートを用いて携帯電話端末１の内部動作を説明したように、本実施の形態では、携帯電話端末を用いて電話を掛けるユーザは、一連の動作で通話、チャット、電子メールの通信が行える。
【００５５】
【発明の効果】
以上説明したように、本発明によれば、携帯電話システムの移動通信用交換機に接続された記憶装置にマナーモー設定情報を持たせ、その情報を元に、携帯電話端末の発信者には、煩わしい操作を避け他の通信モードに移行でき、携帯電話端末の着信者には、公共の場所でのマナーモードを守らせることができる。
【図面の簡単な説明】
【図１】本発明に係る携帯電話システムの概観図である。
【図２】本発明に係る携帯電話の概観図である。
【図３】本発明に係る携帯電話の構成を示すブロック図である。
【図４】本発明の実施の形態を示す動作シーケンスである。
【図５】本発明に係る携帯電話の表示画面を示す図である。
【図６】本発明の実施の形態を示すフローチャートである。
【符号の説明】
１        携帯電話
２        基地局
３        移動通信用交換機
４        記憶装置
５        移動体通信網
６        メールサーバ
７        チャットサーバ
８        移動通信用交換機
９        記憶装置
１０      基地局
２１      アンテナ
２２      表示画面
２３      スピーカ
２４      入力ボタン群
２５      マイク
３１      アンテナ
３２      ＲＦ部
３３      復調部
３４      変調部
３５      音声／データ処理部
３６      スピーカ
３７      マイク
３８      リンガ部
３９      バイブレータ部
４０      内部バス
４１      ＣＰＵ
４２      ＲＯＭ
４３      ＲＡＭ
４４      入力用コントローラ
４５      入力部
４６      ディスプレイコントローラ
４７      ディスプレイ
【図１】
2004247862.tif 000003
【図２】
2004247862.tif 000004
【図３】
2004247862.tif 000005
【図４】
2004247862.tif 000006
【図５】
2004247862.tif 000007
【図６】
2004247862.tif 000008